(57)【要約】【課題】消費電力が少なく、使用するときには高速に起動する電子機器を提供すること。【解決手段】人物の動作を検知するセンサと、第１回路部と第２回路部に分かれ、電気的動作を処理する回路部と、第１の動作モードにおいて第１回路部と第２回路部に電力を供給し、第２の動作モードにおいて第１回路部に電力を供給しないで第２回路部に電力を供給し、第３の動作モードにおいて第１回路部および第２回路部に電力を供給しないよう制御する電力制御部と、第１動作モード、第２動作モード、第３動作モードを含む動作モードを切り替える動作モード制御部を備え、電力供給が開始されたときの第１回路部の起動時間は、電力供給が開始されたときの第２回路部の起動時間に比べて短く、動作モード制御部は、動作モードが第３動作モードに設定されている場合において、センサが検知したとき、動作モードを第２の動作モードに切り替える。【選択図】図４
2010219591.tif 000002
【特許請求の範囲】
【請求項１】
少なくとも第１動作モード、第２動作モードおよび第３動作モードを備える電子機器であって、
周辺の人物の動作を検知するセンサと、
少なくとも第１回路部および第２回路部に分かれ、自機の電気的動作を処理する回路部と、
前記第１動作モードにおいて前記第１回路部および前記第２回路部に電力を供給し、前記第２動作モードにおいて前記第１回路部に電力を供給しないで前記第２回路部に電力を供給し、前記第３動作モードにおいて前記第１回路部および前記第２回路部に電力を供給しないよう、前記回路部への電力の供給を制御する電力制御部と、
前記第１動作モード、前記第２動作モードおよび前記第３動作モードを含む動作モードを切り替える動作モード制御部と、を備え、
電力供給が開始されたときの前記第１回路部の起動時間は、電力供給が開始されたときの前記第２回路部の起動時間に比べて短く、
前記動作モード制御部は、動作モードが前記第３動作モードに設定されている場合において、前記センサが周辺の人物の動作を検知したとき、動作モードを前記第２動作モードに切り替える、
電子機器。
【請求項２】
前記電子機器の動作モードが第３動作モードから第２動作モードに変更された後、前記センサが、所定の期間、周辺の人物の動作を検知しなかった場合には、前記電子機器の動作モードを第３動作モードに変更することを特徴とする請求項１に記載の電子機器。
【発明の詳細な説明】
【技術分野】
【０００１】
本発明は、自動的に動作モードを切り替え可能な電子機器に関する。
【背景技術】
【０００２】
テレビやレコーダなどの電子機器においては、待機中の消費電力を削減する為、人感センサを用いて、その電子機器の周辺の人の有無を検知し、周辺に人がいる場合には電源をオンに制御し、所定の期間、人がいなくなった場合には電源をオフにする技術が開示されている（例えば、特許文献１に記載）。
【特許文献１】特開２００７−９６４６２号公報
【発明の開示】
【発明が解決しようとする課題】
【０００３】
しかしながら、人感センサで周辺に人がいることを検知した場合であっても、その周辺にいる人が必ずしも当該電子機器を使用するとは限らない。したがって、人感センサで周辺に人がいることを検知した場合に電源をオンにすると、必要の無い電力を消費することとなる。
【０００４】
一方、人感センサに基づいて電源をオンにしない場合には、その電子機器を使用する度に電源をオンに切り換えなければならない。この場合、電子機器の電源をオンにした後に、稼動可能な状態となるまでには所定の起動時間を必要とする。したがって、ユーザーが使用時に電源をオンにしても、すぐにその電子機器を稼動させることができないという課題があった。
【０００５】
本発明は上記課題を解決するものであって、待機時に消費する電力を抑えつつ、且つ、ユーザーが使用時には高速で稼動させることができる電子機器を提供することにある。
【課題を解決するための手段】
【０００６】
上記課題を解決する為、本発明の電子機器は、少なくとも第１動作モード、第２動作モードおよび第３動作モードを備える電子機器であって、周辺の人物の動作を検知するセンサと、少なくとも第１回路部および第２回路部に分かれ、自機の電気的動作を処理する回路部と、第１動作モードにおいて第１回路部および第２回路部に電力を供給し、第２動作モードにおいて第１回路部に電力を供給しないで第２回路部に電力を供給し、第３動作モードにおいて第１回路部および第２回路部に電力を供給しないよう、回路部への電力の供給を制御する電力制御部と、第１動作モード、第２動作モードおよび第３動作モードを含む動作モードを切り替える動作モード制御部と、を備え、電力供給が開始されたときの第１回路部の起動時間は、電力供給が開始されたときの第２回路部の起動時間に比べて短く、動作モード制御部は、動作モードが第３動作モードに設定されている場合において、センサが周辺の人物の動作を検知したとき、動作モードを第２動作モードに切り替える。
【発明の効果】
【０００７】
本発明の電子機器によれば、待機時に消費する電力を抑えつつ、且つ、ユーザーが使用時には高速で稼動させることができる。
【発明を実施するための最良の形態】
【０００８】
以下本発明を実施するための最良の形態について、図面を参照しながら説明する。
【０００９】
図１は本発明の実施の形態による録画機器のブロック図である。本実施の形態による録画機器１００は、チューナ１０１、復調部１０２、ＡＶエンコーダ部１０３、ＡＶデコーダ部１０４、出力部１０５、第１のマイコン部１０６、第２のマイコン部１０７、リモコン受光部１０８、人感センサ部１０９、表示部１１０、内部記録部１１１、外部媒体記録部１１２、放送受信アンテナ１１３を備える。
【００１０】
放送受信アンテナ１１３は放送電波を受信する。チューナ１０１は、放送受信アンテナ１１３で受信した放送信号を選局する。復調部１０２はチューナ１０１で選局した放送信号をＴＳ（Transport Stream:トランスポートストリーム）データに復調する。ＡＶエンコーダ部１０３は復調部１０２で復調されたＴＳデータを変換して圧縮記録するためのＡＶデータを生成する。内部記録部１１１は、復調部１０２で復調されたＴＳデータ、または、ＡＶエンコーダ部１０３で生成されたＡＶデータを記録する。内部記録部１１１は、例えば、ハードディスクなどが該当する。外部媒体記録部１１２は、外部媒体記録部１１２が受け付けた記録メディアに復調部１０２で復調されたＴＳデータ、または、ＡＶエンコーダ部１０３で生成されたＡＶデータを記録する。外部媒体記録部１１２が受け付ける記録メディアは、ＤＶＤやＢＤといったディスク状の記憶媒体でもよいし、ＳＤカードのようにカード型の記憶媒体でも良い。
【００１１】
ＡＶデコーダ部１０４は復調部１０２で復調されたＴＳデータ、または、内部記録部１１１から再生されたＡＶデータ、または、外部媒体記録部１１２から再生されたＡＶデータを所定のＡＶ信号に復号する。出力部１０５はＡＶデコーダ１０４から出力されるＡＶ信号を出力する。出力部１０５は具体的にはＨＤＭＩ端子など、ＡＶ信号を出力可能な端子と回路が該当する。
【００１２】
第１のマイコン部１０６はチューナ１０１、復調部１０２、ＡＶエンコーダ部１０３、ＡＶデコーダ部１０４、出力部１０５、内部記録部１１１、外部媒体記録部１１２の動作を制御する。リモコン１１４は録画機器１００の動作を制御する赤外線信号を送信する。また、第１のマイコン部１０６はメモリを備えている。第１のマイコン部１０６に備えられたメモリは、例えば、録画機器１００が起動する際にプログラムが展開される。また、第１のマイコン部１０６に備えられたメモリは、例えば、ＡＶエンコーダ部１０３やＡＶデコーダ部１０４が動作する場合のメモリとしても使用される。
【００１３】
リモコン受光部１０８はリモコン１１４からの赤外線制御信号を受信する。人感センサ部１０９は人の動きを遠赤外線によって検知する。第２のマイコン部１０７は人感センサ部１０９からのデータとリモコン受光部１０８で受信したリモコンの制御信号を信号処理して第１のマイコン部１０６へ伝達する。第２のマイコン部１０７と１０６は相互に通信し全体を制御している。表示部１１０は、録画機器１００の制御状態を表示する。表示部１１０に表示されるデータは、第２のマイコン部１０７が制御する。
【００１４】
一般的に録画機器の電源オフの状態で電力は低消費であるが、この状態から電源オンすると完全起動状態に達するまで起動時間は数十秒を要する。これを改善するため、多数の録画機器は起動に必要な内部回路を電源オフ時でも常時通電しておき、数秒で起動させるための高速起動モードを有している。この高速起動モードの消費電力は電源オフ時とオン時の間の消費電力値であるため、電源オフ時よりも大幅に電力を消費している。
【００１５】
図2は、本発明の本実施の形態における録画機器の動作モードを説明する為の図である。録画機器１００の動作モードには、少なくとも電源オンモード、高速起動モード、電源オフモードの３通りの動作モードがある。
【００１６】
電源オンモードの場合には、チューナ１０１、復調部１０２、ＡＶエンコーダ部１０３、ＡＶデコーダ部１０４、出力部１０５、第１のマイコン部１０６、第２のマイコン部１０７、リモコン受光部１０８、人感センサ部１０９、表示部１１０、内部記録部１１１、外部媒体記録部１１２に電力が供給されている。よって、チューナ１０１、復調部１０２、ＡＶエンコーダ部１０３、ＡＶデコーダ部１０４、出力部１０５、第１のマイコン部１０６、第２のマイコン部１０７、リモコン受光部１０８、人感センサ部１０９、表示部１１０、内部記録部１１１、外部媒体記録部１１２は稼動状態となっている。電源オンモードにおいては、多くの構成要素が稼働中となっている為、他の動作モードと比較して、消費電力が大きくなっている。
【００１７】
高速起動モードの場合は、ＡＶエンコーダ部１０３、ＡＶデコーダ部１０４、第１のマイコン部１０６、第２のマイコン部１０７、リモコン受光部１０８、人感センサ部１０９に電力が供給されている。よって、ＡＶエンコーダ部１０３、ＡＶデコーダ部１０４、第１のマイコン部１０６、第２のマイコン部１０７、リモコン受光部１０８、人感センサ部１０９が稼動状態となっている。電源オンモードと比較すると、チューナ１０１、復調部１０２、出力部１０５、表示部１１０、内部記録部１１１、外部媒体記録部１１２に電力が供給されておらず、これらは稼動していない。しかし、チューナ１０１、復調部１０２、出力部１０５、表示部１１０、内部記録部１１１、外部媒体記録部１１２の起動の時間はＡＶエンコーダ部１０３、ＡＶデコーダ部１０４、第１のマイコン部１０６、第２のマイコン部１０７、リモコン受光部１０８、人感センサ部１０９と比較して短い。したがって、電源オンモードに移行に要する時間は１sec程度であり、後述する電源オフモードと比べて高速に起動することができる。また、高速起動モードの消費電力は、電源オンモードと比較すれば小さい。一方、後述する電源オフモードと比較すると、高速起動モードの消費電力は、後述する電源オフモードと比べると大きい。
【００１８】
電源オフモードの場合は、第２のマイコン部１０７、リモコン受光部１０８、人感センサ部１０９に電力が供給されている。よって、第２のマイコン部１０７、リモコン受光部１０８、人感センサ部１０９は稼動状態となっている。つまり、リモコン受光部１０８によるリモコン信号の受信など、録画機器１００の停止状態においても稼動が必要な最低限の構成要素について電力を供給し、稼動させている。したがって、電源オンモードへと移行する時間は、特にＡＶエンコーダ部１０３、ＡＶデコーダ部１０４及び第１のマイコン部１０６を起動するのに時間がかかる為、高速起動モードと比較すると起動に時間を要する。一方、消費電力は3つの動作モードの中で最も小さい。
【００１９】
ここで、動作モードが電源オンモードの場合に起動状態であり高速起動モードの場合に起動状態ではない回路を第１の回路部とし、第１の回路部以外の回路であって、高速起動モードの場合に起動状態ではない回路を第２の回路部とする。この場合、本実施の形態においては、第１の回路部は、チューナ１０１、復調部１０２、出力部１０５、表示部１１０、内部記録部１１１、及び、外部媒体記録部１１２が該当する。また、第２の回路部は、ＡＶエンコーダ部１０３、ＡＶデコーダ部１０４、及び第１のマイコン部１０６が該当する。
【００２０】
本実施の形態による録画機器１００は人感センサ部１０９を具備しており、人感センサ部１０９が人の動きを検知したか否かに応じて、動作モードを切り換える。図３は、電源オンモード時の停止状態において、所定の時間、人感センサ部１０９が人の動きを検知しなかった場合に、録画機器１００が自動的に電源オフモードに切り換える動作を説明する為のフローチャートである。
【００２１】
録画機器１００が、電源オンモードであった場合に（Ｓ３０１）、第２のマイコン部１０７は録画機器が停止状態になってから所定の時間経過したかを判断する（Ｓ３０２）。次に第２のマイコン部１０７は人感センサ部１０９が人を検知しない状態になってから所定の時間経過したかを判断する（Ｓ３０３）。人感センサ部１０９が人を検知しない状態になってから所定の時間経過した場合には、第２のマイコン部１０７は第１のマイコン部１０６に対し電源オフモードに設定するように命令する。第１のマイコン部１０６は、チューナ１０１、復調部１０２、ＡＶエンコーダ部１０３、ＡＶデコーダ部１０４、出力部１０５、内部記録部１１１、外部媒体記録部１１２を稼動状態から非稼動の状態に遷移させる。その後、第１のマイコン部１０６も非稼動状態となる。このようにして、録画機器１００は人感センサ部１０９が人の動きを検知しなかった場合に、自動的に電源オフモードとなる（Ｓ３０４）。
【００２２】
図４は、本発明の本実施の形態における録画機器の電源の高速起動モードへの移行動作を説明するためのフローチャートである。まず、録画機器１００の動作モードが電源オフモードである場合において（Ｓ４０１）、第２のマイコン部１０７は人感センサ部１０９が人の動きを検知するか否かを監視する（Ｓ４０２）。人感センサ部１０９が人の動きを検知した場合には、第２のマイコン部１０７は第１のマイコン部１０６を起動する。第１のマイコン１０６はＡＶエンコーダ部１０３とＡＶデコーダ１０４部を起動する。これにより録画機器１００の動作モードは高速起動モードに遷移する（Ｓ４０３）。録画機器１００が高速起動モードに遷移した後に、第２のマイコン部１０７は人感センサ部１０９が人を検知しない状態になってから所定の時間経過したかを監視する（Ｓ４０４）。人感センサ部１０９が所定の期間、人の動きを検知しなかった場合には、録画機器１００の動作モードは電源オフモードとなる（Ｓ４０５）。具体的な動作としては、人感センサ部１０９が所定の期間、人の動きを検知しなかった場合には、第２のマイコン部１０７が第１のマイコン部１０６に対し、電源オフモードに遷移するように命令する。第１のマイコン部１０６はＡＶエンコーダ部１０３及びＡＶデコーダ部１０４を非稼動状態にする。また第１のマイコン部１０６自身も非稼動の状態とする。これにより、録画機器１００の動作モードは、電源オフモードとなる。
【００２３】
つまり、本実施の形態における録画機器１００は、少なくとも第１動作モード（電源オンモード）、第２動作モード（高速起動モード）および第３動作モード（電源オフモード）を備える録画機器１００であって、周辺の人物の動作を検知する人感センサ部１０９と、少なくとも第１回路部（チューナ１０１、復調部１０２、出力部１０５、表示部１１０、内部記録部１１１及び外部媒体記録部１１２）および第２回路部（ＡＶエンコーダ部１０３、ＡＶデコーダ部１０４、及び第１のマイコン部１０６）に分かれ、録画機器１００の電気的動作を処理する回路部（チューナ１０１、復調部１０２、ＡＶエンコーダ部１０３、ＡＶデコーダ部１０４、出力部１０５、第１のマイコン部１０６、表示部１１０、内部記録部１１１及び外部媒体記録部１１２）と、第１動作モードにおいて第１回路部および第２回路部に電力を供給し、第２動作モードにおいて第１回路部に電力を供給しないで第２回路部に電力を供給し、第３動作モードにおいて第１回路部および第２回路部に電力を供給しないよう、回路部への電力の供給を制御する第２のマイコン部１０７と、第１動作モード、第２動作モードおよび第３動作モードを含む動作モードを切り替える第２のマイコン部１０７と、を備え、電力供給が開始されたときの第１回路部の起動時間は、電力供給が開始されたときの第２回路部の起動時間に比べて短く、第２のマイコン部１０７は、動作モードが第３動作モードに設定されている場合において、センサが周辺の人物の動作を検知したとき、動作モードを第２動作モードに切り替える。
【００２４】
なお、本発明において、第１回路部の起動とは、第１の回路部の全ての構成要素が起動することを示す。よって、第１回路部の起動時間とは第１の回路部の全ての構成要素が起動するまでの時間を示す。即ち、例えば、第１回路部のうち表示部１１０が高速に起動する場合であっても、表示部１１０が起動したことのみをもって、本発明の第１回路部の起動を意味するものではない。
【００２５】
したがって、本実施の形態の録画機器１００によれば、人感センサ部１０９を用いて、録画機器１００の周辺に人がいる場合には、録画機器１００の動作モードを自動的に高速起動モードに起動する。したがって、ユーザーが録画機器１００の周囲にいる場合において、自動的に高速起動モードにするので、電源オンモードほど電力を消費することなく待機している状態となり、使用時には高速に録画機器１００を起動することができる。したがって、待機電力の削減と録画機器１００の高速起動という、相反する課題を解決することができる。
【００２６】
また、本実施の形態における録画機器１００は、録画機器１００の動作モードが第３動作モードから第２動作モードに変更された後、人感センサ部１０９が、所定の期間、周辺の人物の動作を検知しなかった場合には、録画機器１００の動作モードを第３動作モードに変更する。
【００２７】
これにより、ユーザーが録画機器１００の周辺からいなくなったときに、自動的に動作モードを電源オフモードに切り換えることができるので、更に待機時の消費電力を減らすことができる。
【００２８】
なお、本実施の形態において人感センサ部１０９は遠赤外線によって人の動きを検知するとしたが、他の方法（ＣＣＤカメラや赤外線カメラなど）を用いて、人の動きを検知しても良い。
【００２９】
また、本実施の形態では録画機器を用いて説明しているが、これは電子機器の一例に過ぎない。つまり、本発明は図２の記載のように複数の動作モードを持つ電子機器であれば適用可能である。例えば、デジタルテレビやパーソナルコンピュータなど、あらゆる電子機器に適用が可能である。
【産業上の利用可能性】
【００３０】
本発明にかかる電子機器は、待機時に消費する電力を抑えつつ、且つ、ユーザーが使用時には高速で稼動させるので、電子機器等として有用である。
【図面の簡単な説明】
【００３１】
【図１】本発明の本実施の形態における録画機器の構成を示すブロック図
【図２】本発明の本実施の形態における録画機器の動作モードを説明する為の図
【図３】本発明の本実施の形態における録画機器の電源の自動ＯＦＦの動作を説明するためのフローチャート
【図４】本発明の本実施の形態における録画機器の電源の高速起動モードへの移行動作を説明するためのフローチャート
【符号の説明】
【００３２】
１００    録画機器
１０１    チューナ
１０２    復調部
１０３    ＡＶエンコーダ部
１０４    ＡＶデコーダ部
１０５    出力部
１０６    第１のマイコン部
１０７    第２のマイコン部
１０８    リモコン受光部
１０９    人感センサ部
１１０    表示部
１１１    記録部
１１２    外部記録媒体記録部
１１３    放送受信アンテナ
１１４    リモコン
【図１】
2010219591.tif 000003
【図２】
2010219591.tif 000004
【図３】
2010219591.tif 000005
【図４】
2010219591.tif 000006